(57)【要約】【課題】据付作業者による昇降機の部材の据付作業をより一層効率化させるように支援することができるＢＩＭシステム、方法およびプログラムを提供することを課題とする。【解決手段】ＢＩＭシステムは、作成条件に対応する昇降機のＢＩＭパーツを、ＢＩＭパーツのパーツに対応する昇降機の部材の組立手順を示す組立手順情報を含むパーツ情報を用いて作成し、当該ＢＩＭパーツを表示部に表示させる。ここで、ＢＩＭシステムは、ＢＩＭパーツに含まれる組立手順情報が示す昇降機の部材の組立手順にしたがって、当該ＢＩＭパーツを構成するパーツの表示形態を異ならせる。【選択図】図２
2016211260.tif 000002
【特許請求の範囲】
【請求項１】
制御部と記憶部と表示部を少なくとも備えたＢＩＭシステムであって、
前記記憶部は、
建築物のＢＩＭモデルに組込可能な昇降機のＢＩＭパーツを作成するためのパーツに関するパーツ情報であって、前記ＢＩＭパーツの前記パーツに対応する前記昇降機の部材の組立手順を示す組立手順情報を含むパーツ情報を記憶するパーツ情報記憶手段、
を備え、
前記制御部は、
利用者により入力される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを、前記表示部に表示させる画面表示手段と、
を備え、
前記画面表示手段は、前記ＢＩＭパーツに含まれる前記組立手順情報が示す前記昇降機の前記部材の組立手順にしたがって、当該ＢＩＭパーツを構成する前記パーツの表示形態を異ならせることを特徴とするＢＩＭシステム。
【請求項２】
前記画面表示手段は、前記組立手順情報に含まれる前記昇降機の前記部材の据付作業日に応じて、前記ＢＩＭパーツを構成する前記パーツの色を異ならせることを特徴とする請求項１に記載のＢＩＭシステム。
【請求項３】
前記ＢＩＭシステムは、入力部を更に備え、
前記画面表示手段は、前記組立手順情報を利用者が入力するための組立手順入力画面を前記表示部に表示させ、
前記制御部は、
前記利用者により前記組立手順入力画面上で前記入力部を介して入力された前記組立手順情報を、前記パーツ情報記憶手段に記憶された前記パーツ情報が示す対象の前記パーツに夫々対応付けて格納する組立手順入力手段、
を更に備えたことを特徴とする請求項１又は２に記載のＢＩＭシステム。
【請求項４】
前記組立手順入力手段は、前記利用者により前記組立手順入力画面上で前記入力部を介して変更された前記組立手順情報を、前記パーツ情報記憶手段に記憶された前記パーツ情報が示す対象の前記パーツに夫々対応付けて更新することを特徴とする請求項３に記載のＢＩＭシステム。
【請求項５】
前記制御部は、
前記利用者により前記入力部を介して、前記部材に付与された識別情報が入力された場合、前記画面表示手段により前記表示部上に表示された前記ＢＩＭパーツに含まれる前記パーツのうち、前記識別情報により特定される前記パーツが存在するか否かを示す照合結果を生成する照合手段、
を更に備え、
前記画面表示手段は、前記照合手段により生成された前記照合結果が、前記識別情報により特定される前記パーツが存在するとの照合結果である場合は、前記表示部に完了通知を表示させ、前記照合手段により生成された前記照合結果が、前記識別情報により特定される前記パーツが存在しないとの照合結果である場合は、前記表示部にエラー通知を表示させることを特徴とする請求項１乃至４のいずれか一項に記載のＢＩＭシステム。
【請求項６】
前記識別情報は、バーコードまたは無線タグを含む請求項５に記載のＢＩＭシステム。
【請求項７】
前記記憶部は、
前記建築物のＢＩＭモデルを記憶するＢＩＭモデル記憶手段、
を更に備え、
前記制御部は、
前記昇降機モデリング手段により作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段、
を更に備え、
前記画面表示手段は、前記統合モデリング手段により作成された前記統合ＢＩＭモデルを、前記表示部に表示させ、当該統合ＢＩＭモデルに組み込まれた前記ＢＩＭパーツに含まれる前記組立手順情報が示す前記昇降機の前記部材の組立手順にしたがって、当該ＢＩＭパーツを構成する前記パーツの表示形態を異ならせることを特徴とする請求項１に記載のＢＩＭシステム。
【請求項８】
制御部と記憶部と表示部を少なくとも備えたＢＩＭシステムにおいて実行される方法であって、
前記記憶部は、
建築物のＢＩＭモデルに組込可能な昇降機のＢＩＭパーツを作成するためのパーツに関するパーツ情報であって、前記ＢＩＭパーツの前記パーツに対応する前記昇降機の部材の組立手順を示す組立手順情報を含むパーツ情報を記憶するパーツ情報記憶手段、
を備え、
前記制御部において実行される、
利用者により入力される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記表示部に表示させる画面表示ステップと、
を含み、
前記画面表示ステップにおいて、前記ＢＩＭパーツに含まれる前記組立手順情報が示す前記昇降機の前記部材の組立手順にしたがって、当該ＢＩＭパーツを構成する前記パーツの表示形態を異ならせることを特徴とする方法。
【請求項９】
制御部と記憶部と表示部を少なくとも備えたＢＩＭシステムに実行させるためのプログラムであって、
前記記憶部は、
建築物のＢＩＭモデルに組込可能な昇降機のＢＩＭパーツを作成するためのパーツに関するパーツ情報であって、前記ＢＩＭパーツの前記パーツに対応する前記昇降機の部材の組立手順を示す組立手順情報を含むパーツ情報を記憶するパーツ情報記憶手段、
を備え、
前記制御部において、
利用者により入力される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記表示部に表示させる画面表示ステップと、
を実行させ、
前記画面表示ステップにおいて、前記ＢＩＭパーツに含まれる前記組立手順情報が示す前記昇降機の前記部材の組立手順にしたがって、当該ＢＩＭパーツを構成する前記パーツの表示形態を異ならせることを特徴とするプログラム。
【発明の詳細な説明】
【技術分野】
【０００１】
本発明の実施形態は、ＢＩＭシステム、方法およびプログラムに関する。
【背景技術】
【０００２】
従来、ＢＩＭ（ビルディングインフォメーションモデリング）を利用した建築物の建方支援システムとして、建築物の部材の運搬手段として昇降機を工事使用する最適な建方工程を作成する技術があった。
【先行技術文献】
【特許文献】
【０００３】
【特許文献１】特許第５６４５３２１号
【発明の概要】
【発明が解決しようとする課題】
【０００４】
ところで、従来の建方支援システムは、昇降機を組み込んだ建築物全体に関する工程管理を効率化させることを想定しており、この昇降機自体の据付作業に関する据付工程を効率化させる点において、未だ改善の余地があった。
【０００５】
本実施形態が解決しようとする課題は、据付作業者による昇降機の部材の据付作業をより一層効率化させるように支援することができるＢＩＭシステム、方法およびプログラムを提供することである。
【課題を解決するための手段】
【０００６】
実施形態のＢＩＭシステムは、制御部と記憶部と表示部を少なくとも備える。前記記憶部は、建築物のＢＩＭモデルに組込可能な昇降機のＢＩＭパーツを作成するためのパーツに関するパーツ情報であって、前記ＢＩＭパーツの前記パーツに対応する前記昇降機の部材の組立手順を示す組立手順情報を含むパーツ情報を記憶するパーツ情報記憶手段、を備える。前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記表示部に表示させる画面表示手段と、を備える。ここで、前記画面表示手段は、前記ＢＩＭパーツに含まれる前記組立手順情報が示す前記昇降機の前記部材の組立手順にしたがって、当該ＢＩＭパーツを構成する前記パーツの表示形態を異ならせる。
【図面の簡単な説明】
【０００７】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、昇降機のＢＩＭパーツを建築物のＢＩＭモデルに組み込んだ状態の昇降機組込建築物に対応する統合ＢＩＭモデルの一例を示す図である。
【図５】図５は、組立手順に従ってパーツの表示形態を異ならせた状態で表示するＢＩＭパーツを含むレイアウト画面の一例を示す図である。
【図６】図６は、組立手順に従ってパーツの表示形態を異ならせた状態で表示するＢＩＭパーツを含むレイアウト画面の一例を示す図である。
【図７】図７は、組立手順に従ってパーツの表示形態を異ならせた状態で表示するＢＩＭパーツを含むレイアウト画面の一例を示す図である。
【図８】図８は、組立手順に従ってパーツの表示形態を異ならせた状態で表示するＢＩＭパーツを含むレイアウト画面の一例を示す図である。
【図９】図９は、組立手順入力画面の一例を示す図である。
【図１０】図１０は、組立手順入力画面の一例を示す図である。
【図１１】図１１は、組立手順入力画面の一例を示す図である。
【図１２】図１２は、第１の実施形態におけるＢＩＭシステムの基本処理の一例を示すフローチャートである。
【図１３】図１３は、第１の実施形態におけるＢＩＭシステムの照合処理の一例を示すフローチャートである。
【図１４】図１４は、第１の実施形態におけるＢＩＭシステムの統合ＢＩＭモデル作成処理の一例を示すフローチャートである。
【図１５】図１５は、第２の実施形態におけるＢＩＭシステムの構成の一例を示すブロック図である。
【図１６】図１６は、第２の実施形態におけるＢＩＭシステムの基本処理の一例を示すフローチャートである。
【図１７】図１７は、第２の実施形態におけるＢＩＭシステムの照合処理の一例を示すフローチャートである。
【図１８】図１８は、第２の実施形態におけるＢＩＭシステムの統合ＢＩＭモデル作成処理の一例を示すフローチャートである。
【図１９】図１９は、第３の実施形態におけるＢＩＭシステムの構成の一例を示すブロック図である。
【図２０】図２０は、第３の実施形態におけるＢＩＭシステムの基本処理の一例を示すフローチャートである。
【図２１】図２１は、第３の実施形態におけるＢＩＭシステムの照合処理の一例を示すフローチャートである。
【図２２】図２２は、第３の実施形態におけるＢＩＭシステムの統合ＢＩＭモデル作成処理の一例を示すフローチャートである。
【発明を実施するための形態】
【０００８】
以下に、本発明にかかるＢＩＭシステム、方法およびプログラムの実施形態を図面に基づいて詳細に説明する。なお、この実施形態によりこの発明が限定されるものではない。
【０００９】
ここで、図１を参照して、実施形態において利用されるＢＩＭの概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、その整合性のチェックも必要となる。一方、図１の右側に示すＢＩＭによる設計方法では、各業種にて建物全体のデータである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【００１０】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１１】
［第１の実施形態］
最初に、第１の実施形態について、図２乃至図１４を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１２】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１３】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１４】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１５】
［サーバ装置２００の構成］
ここで、図２において、サーバ装置２００は、端末装置１００から送信される作成条件に対応する昇降機のＢＩＭパーツを作成し、端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１６】
これら記憶部２０６の各構成要素のうち、パーツ情報データベース２０６ａは、建築物のＢＩＭモデルに組込可能な昇降機のＢＩＭパーツを作成するためのパーツに関するパーツ情報であって、ＢＩＭパーツのパーツに対応する昇降機の部材の組立手順を示す組立手順情報を含むパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、上記に限定されない。
【００１７】
より具体的には、本実施形態において、パーツ情報は、例えば、制御部１０２によりＢＩＭパーツをＢＩＭモデルに組み込む際等に参照されるＢＩＭパーツのサイズ情報を含む。ここで、ＢＩＭパーツのサイズ情報は、ＢＩＭパーツを構成するパーツ（すなわち、各ユニットや構成部品）のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、制御部１０２によりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１８】
また、本実施形態において、パーツ情報は、ＢＩＭパーツのパーツに対応する昇降機の部材の組立手順を示す組立手順情報を更に含んで構成される。組立手順情報は、昇降機の据付作業者等により組立手順入力画面を介して予め入力された情報であって、対象の昇降機を構成する各部材（例えば、機械室用品、昇降路用品、出入口用品、かご用品等）の据付作業日を含む情報である。据付作業日を含む組立手順情報とは、例えば、据付作業日の年月日を指定する数値データであり、「２０１５年９月２３日」のように特定日を指定するものであってもよいし、「２０１５年９月２６日〜９月２８日」のように特定期間を指定するものであってもよい。なお、パーツ情報データベース２０６ａに記憶されるパーツ情報に含まれる組立手順情報は、後述する組立手順入力部２０２ｄの処理により入力され、適宜変更される。
【００１９】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、情報提供部２０２ｃ、及び、組立手順入力部２０２ｄを備える。
【００２０】
このうち、作成条件受信部２０２ａは、端末装置１００から送信される作成条件を受信する作成条件受信手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、利用者により端末装置１００において入力部１１８を介して入力されたものであってもよいし、予め作成条件が記憶された外部記憶装置（図示せず）から読み込まれたものであってもよい。
【００２１】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。
【００２２】
昇降機モデリング部２０２ｂは、利用者が画面上で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。ここで、昇降機モデリング部２０２ｂは、作成した昇降機のＢＩＭパーツを記憶部２０６に格納して、ＢＩＭパーツデータベース（図示せず）を構築してもよい。
【００２３】
また、情報提供部２０２ｃは、昇降機モデリング部２０２ｂにより作成された昇降機のＢＩＭパーツを端末装置１００へ送信する情報提供手段である。ここで、情報提供部２０２ｃは、複数のＢＩＭパーツを含む計算結果を端末装置１００へ送信してもよい。
【００２４】
また、組立手順入力部２０２ｄは、端末装置１００から送信される組立手順情報を、パーツ情報データベース２０６ａに記憶されたパーツ情報が示す対象のパーツに夫々対応付けて格納する組立手順入力手段である。更に、組立手順入力部２０２ｄは、端末装置１００から再送信された、利用者により変更された組立手順情報を、パーツ情報データベース２０６ａに記憶されたパーツ情報が示す対象のパーツに夫々対応付けて更新する。
【００２５】
［端末装置１００の構成］
図２において、端末装置１００は、サーバ装置２００へＢＩＭパーツを作成するのに必要な作成条件を送信し、作成条件にしたがって作成されたＢＩＭパーツを含むサーバ装置２００の計算結果を、サーバ装置２００から受信する等の機能を有する。また、端末装置１００は、図４に示すように、サーバ装置２００から受信した昇降機のＢＩＭパーツを建築物のＢＩＭモデルに組み込んだ状態の昇降機組込建築物に対応する統合ＢＩＭモデルを作成する等の機能を有する。ここで、図４は、昇降機のＢＩＭパーツを建築物のＢＩＭモデルに組み込んだ状態の昇降機組込建築物に対応する統合ＢＩＭモデルの一例を示す図である。図４では、昇降機組込建築物の完成時におけるエレベータの設置状態を示す統合ＢＩＭモデルの一部が示されている。
【００２６】
端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。端末装置１００は、インターネットブラウザ等を搭載していてもよく、ＢＩＭアプリケーション等を搭載していてもよい。端末装置１００は、表示部１１４と音声出力部１１６とを少なくとも含む出力部を備えていてもよい。端末装置１００は、データ入力等を行う入力部１１８を備えていてもよい。
【００２７】
図２において、表示部１１４は、アプリケーション等の表示画面を表示する表示手段（例えば、液晶または有機ＥＬ等から構成されるディスプレイ、モニタ、および、タッチパネル等）であってもよい。音声出力部１１６は、音声情報を音声として出力する音声出力手段（例えば、スピーカ等）であってもよい。入力部１１８は、例えば、キー入力部、タッチパネル、コントロールパッド（例えば、タッチパッド、および、ゲームパッド等）、マウス、キーボード、および、マイク等であってもよい。入出力制御インターフェース部１０８は、表示部１１４、音声出力部１１６、および、入力部１１８等の制御を行う。
【００２８】
図２において、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。ネットワーク３００は、端末装置１００およびサーバ装置２００と、図示しない外部機器または外部システム（例えば、ＢＩＭモデルデータベースサーバ等として機能する外部のデータベース装置など）とを相互に接続する機能を有し、例えば、インターネット、電話回線網（携帯端末回線網および一般電話回線網等）、イントラネット、または、電力線通信（ＰＬＣ）等であってもよい。
【００２９】
図２において、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ等）を格納してもよい。ここで、記憶部１０６は、各種のファイル等を一時的に記憶するものであってもよい。
【００３０】
このうち、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルには、例えば、建物形状、空間関係、地理情報、建物部材の数量や特性、部材強度、固有振動数、耐用年数等の構造情報が含まれるが、これらに限定されない。この他、構造情報は、建物用途、建物規模、階床数、階床名、階高、各階の使用用途、フロア人員、占有面積等から算出可能な昇降機の利用人数などの情報を含んでいてもよい。更に、構造情報は、対象の建築物を構成する各構造ユニットに関する寸法、位置等を示す情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁、安全対策品等が挙げられる。
【００３１】
図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、情報取得部１０２ｂ、統合モデリング部１０２ｃ、画面表示部１０２ｄ、組立手順送信部１０２ｅ、及び、照合部１０２ｆを備える。
【００３２】
このうち、作成条件送信部１０２ａは、利用者により入力される作成条件をサーバ装置２００へ送信する作成条件送信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、利用者により入力部１１８を介して入力されたものであってもよいし、予め作成条件が記憶された外部記憶装置（図示せず）から読み込まれたものであってもよい。
【００３３】
また、情報取得部１０２ｂは、サーバ装置２００から送信される作成条件に対応するＢＩＭパーツを含む計算結果を受信する情報取得手段である。ここで、情報取得部１０２ｂは、複数のＢＩＭパーツを含む計算結果をサーバ装置２００から受信してもよい。情報取得部１０２ｂは、受信したＢＩＭパーツを記憶部１０６に格納して、ＢＩＭパーツデータベース（図示せず）を構築してもよい。
【００３４】
また、統合モデリング部１０２ｃは、情報取得部１０２ｂにより受信された昇降機のＢＩＭパーツを、ＢＩＭモデルデータベース１０６ａに記憶された建築物のＢＩＭモデルに組み込んだ状態の昇降機組込建築物に対応する統合ＢＩＭモデルを作成する統合モデリング手段である。ここで、統合モデリング部１０２ｃは、図４に示したように作成した統合ＢＩＭモデルを記憶部１０６に格納して、統合ＢＩＭモデルデータベース（図示せず）を構築してもよい。
【００３５】
また、画面表示部１０２ｄは、情報取得部１０２ｂにより受信された昇降機のＢＩＭパーツを、表示部１１４に表示させる画面表示手段である。本実施形態において、画面表示部１０２ｄは、ＢＩＭパーツに含まれる組立手順情報が示す昇降機の部材の組立手順にしたがって、当該ＢＩＭパーツを構成するパーツの表示形態を異ならせる。具体的には、画面表示部１０２ｄは、組立手順情報に含まれる昇降機の部材の据付作業日に応じて、ＢＩＭパーツを構成するパーツの色を異ならせてもよいし、点滅表示させてもよいし、強調表示させてもよい。
【００３６】
例えば、図５乃至図８に示すように、画面表示部１０２ｄは、組立手順情報に含まれる据付作業日ごとに設定された色の違いにより、昇降機の部材の組立手順が据付作業者に明確になるように、組立手順情報に含まれる昇降機の部材の据付作業日に応じて、ＢＩＭパーツを構成するパーツの色を異ならせてもよい。図５乃至図８は、組立手順に従ってパーツの表示形態を異ならせた状態で表示するＢＩＭパーツを含むレイアウト画面の一例を示す図である。
【００３７】
ここで、図５乃至図８において、画面表示部１０２ｄにより表示部１１４に表示されたレイアウト画面内には、昇降機の一例としてのエレベータのＢＩＭパーツが含まれている。なお、図５乃至図８において、エレベータのＢＩＭパーツを構成するパーツの一例として、巻上機のパーツ１、レールのパーツ２、三方枠と乗場ドアと乗場表示装置を含むパーツ３、乗りかごのパーツ４、及び、昇降路のパーツ５が挙げられているが、これらに限定されない。これら巻上機のパーツ１、レールのパーツ２、三方枠と乗場ドアと乗場表示装置を含むパーツ３、乗りかごのパーツ４、及び、昇降路のパーツ５は、夫々、昇降機を構成する部材の一例としての機械室用品、昇降路用品、出入口用品、かご用品に対応するものとする（図９乃至図１１参照）。
【００３８】
また、図５乃至図８において、巻上機のパーツ１のパーツ情報に含まれる組立手順情報が示す機械室用品の据付作業日（例えば、「２０１５年９月２３日」）は、レールのパーツ２のパーツ情報に含まれる組立手順情報が示す昇降路用品の据付作業日よりも前の年月日が据付作業者等により予め入力されているものとする。また、レールのパーツ２のパーツ情報に含まれる組立手順情報が示す昇降路用品の据付作業日（例えば、「２０１５年９月２６日〜９月２８日」）は、三方枠と乗場ドアと乗場表示装置を含むパーツ３のパーツ情報に含まれる組立手順情報が示す出入口用品の据付作業日よりも前の年月日が据付作業者等により予め入力されているものとする。また、三方枠と乗場ドアと乗場表示装置を含むパーツ３のパーツ情報に含まれる組立手順情報が示す出入口用品の据付作業日（例えば、「２０１５年９月２９日〜１０月１日」）は、乗りかごのパーツ４のパーツ情報に含まれる組立手順情報が示すかご用品の据付作業日（例えば、「２０１５年１０月２日〜１０月４日」）よりも前の年月日が据付作業者等により予め入力されているものとする。
【００３９】
この場合、図５乃至図８に示すように、画面表示部１０２ｄは、昇降機の組立手順が１番目となる機械室用品に対応する巻上機のパーツ１（図５参照）と、昇降機の組立手順が２番目となる昇降路用品に対応するレールのパーツ２（図６参照）と、昇降機の組立手順が３番目となる出入口用品に対応する三方枠と乗場ドアと乗場表示装置を含むパーツ３（図７参照）と、昇降機の組立手順が４番目となるかご用品に対応する乗りかごのパーツ４（図８参照）と、を互いに色を異ならせた表示形態で表示部１１４に表示させる。また、画面表示部１０２ｄは、昇降機の組立手順が先の順から順番に、対象のパーツの色を他のパーツの色と異ならせた表示形態で、表示部１１４に表示させてもよい。このように、据付作業日ごとにＢＩＭパーツを構成するパーツに色を付けることで、据付作業者が据付ける昇降機の部材について、組立手順を視覚で容易に確認させることができる。これにより、また、据付作業者は、ＢＩＭパーツが表示されたレイアウト画面上で、ＢＩＭパーツを前後左右３６０°回転させることで、据付時に、全方位から部材毎の結合方法、機器間の隙間等を確認することもできる。
【００４０】
また、画面表示部１０２ｄは、統合モデリング部１０２ｃにより作成された統合ＢＩＭモデルを、表示部１１４に表示させてもよい。更に、画面表示部１０２ｄは、当該統合ＢＩＭモデルに組み込まれたＢＩＭパーツに含まれる組立手順情報が示す昇降機の部材の組立手順にしたがって、当該ＢＩＭパーツを構成するパーツの表示形態を異ならせてもよい。
【００４１】
この他、画面表示部１０２ｄは、図９乃至図１１に示すように、組立手順情報を利用者（例えば、据付作業者、昇降機の据付作業の工程管理者、建築物の建方工程の管理者など）が入力するための組立手順入力画面を表示部１１４に表示させてもよい。図９乃至図１１は、組立手順入力画面の一例を示す図である。図９乃至図１１において、組立手順入力画面の上段部の表には、機械室用品取付を行う予定日、昇降路用品取付を行う予定日、出入口用品取付を行う予定日、かご用品取付を行う予定日、調整を行う予定日を、夫々、据付作業者等が入力する欄として、予定日入力欄が設けられている。また、この予定日入力欄に記載された各予定日を変更する際に用いる変更入力欄として、第１の変更入力欄（変更１）及び第２の変更入力欄（変更２）も設けられている。更に、図９乃至図１１において、組立手順入力画面の下段部には、上段部の予定日入力欄や変更入力欄に入力された据付作業日に対応する据付工程のスケジュールを作業内容ごとに示す工程表が表示されている。
【００４２】
図２に戻り、組立手順送信部１０２ｅは、利用者により組立手順入力画面上で入力部１１８を介して入力された組立手順情報を、サーバ装置２００へ送信する組立手順送信手段である。
【００４３】
本実施形態において、組立手順情報は、例えば、図９の組立手順入力画面に示すように、予定日入力欄に夫々作業ごとに入力される予定日に対応する据付作業日を含んで構成される。一例として、図９（ｉ）に示すように、機械室用品取付を行う据付作業日は、「２０１５年９月２３日」であり、この据付作業日は、機械室用品に対応する巻上機のパーツ１のパーツ情報に対応付けて組立手順情報としてサーバ装置２００のパーツ情報データベース２０６ａに格納されるように、サーバ装置２００へ送信される。また、昇降路用品取付を行う据付作業日は、「２０１５年９月２６日〜９月２８日」であり、この据付作業日は、昇降路用品に対応するレールのパーツ２のパーツ情報に対応付けて組立手順情報としてサーバ装置２００のパーツ情報データベース２０６ａに格納されるように、サーバ装置２００へ送信される。また、出入口用品取付を行う据付作業日は、「２０１５年９月２９日〜１０月１日」であり、この据付作業日は、出入口用品に対応する三方枠と乗場ドアと乗場表示装置を含むパーツ３のパーツ情報に対応付けて組立手順情報としてサーバ装置２００のパーツ情報データベース２０６ａに格納されるように、サーバ装置２００へ送信される。また、かご用品取付を行う据付作業日は、「２０１５年１０月２日〜１０月４日」であり、この据付作業日は、かご用品に対応する乗りかごのパーツ４のパーツ情報に対応付けて組立手順情報としてサーバ装置２００のパーツ情報データベース２０６ａに格納されるように、サーバ装置２００へ送信される。
【００４４】
また、図１０（ｉｉ）に示すように、変更入力欄の昇降路用品取付の予定日「２０１５年９月２６日〜９月２８日」が、「２０１５年９月２７日〜９月２９日」に変更された場合には、図１１（ｉｉｉ）に示すように、変更された昇降路用品取付の予定日以降の後工程となる、出入口用品取付の予定日「２０１５年９月３０日〜１０月２日」、かご用品取付の予定日「２０１５年１０月３日〜１０月５日」、調整の予定日「２０１５年１０月６日」についても、自動で修正される。更に、図１１（ｉｖ）に示すように、これら予定日の変更（図１０（ｉｉ）参照）及び自動修正（図１１（ｉｉｉ）参照）に応じて、各変更日が夫々下段部の工程表に反映される。これにより、据付作業者等は、例えば、据付作業の工程遅れまたは工程前倒しや部材の欠品、誤送のトラブルなどが発生した場合でも、作業実施記録を入力することで、作業実施日以降の据付工程を容易に変更することができる。
【００４５】
このようにして変更および自動修正された予定日に対応する据付作業日についても、更新された組立手順情報として、各対象のパーツのパーツ情報に対応付けてサーバ装置２００のパーツ情報データベース２０６ａに格納されるように、サーバ装置２００へ再送信される。
【００４６】
また、照合部１０２ｆは、利用者により入力部１１８を介して、昇降機の部材に付与された識別情報が入力された場合、画面表示部１０２ｄにより表示部１１４に表示されたＢＩＭパーツに含まれるパーツのうち、識別情報により特定されるパーツが存在するか否かを示す照合結果を生成する照合手段である。ここで、識別情報は、識別番号や、バーコードまたは無線タグを含むが、これらに限定されない。
【００４７】
本実施形態において、画面表示部１０２ｄは、照合部１０２ｆにより生成された照合結果が、識別情報により特定されるパーツが存在するとの照合結果である場合は、表示部１１４に完了通知を表示させる。一方、画面表示部１０２ｄは、照合部１０２ｆにより生成された照合結果が、識別情報により特定されるパーツが存在しないとの照合結果である場合は、表示部１１４にエラー通知を表示させる。これにより、例えば、据付作業者は、据付部材の搬入チェック時に、搬入されてきた部材の識別番号等の識別情報を端末装置１００に登録することで、表示部１１４に表示されたレイアウト画面上で、ＢＩＭパーツを構成する対象のパーツとの整合性をチェックすることができる。また、例えば、搬入完了時に搬入完了ボタン（図示せず）を据付作業者が押したときに整合性がとれない部材や、搬入されていない部材が有る場合には、エラー発報することができる。この他、搬入されてきた部材に付けたバーコード登録や無線タグ登録により、整合性をチェックすることもできる。
【００４８】
以上で、第１の実施形態におけるＢＩＭシステムの構成の一例の説明を終える。
【００４９】
［第１の実施形態におけるＢＩＭシステムの処理］
次に、このように構成された第１の実施形態におけるＢＩＭシステムの処理の一例について、以下に図１２乃至図１４を参照して詳細に説明する。
【００５０】
まず、図１２を参照して、第１の実施形態においてＢＩＭシステムにより実行される基本処理について説明する。図１２は、第１の実施形態におけるＢＩＭシステムの基本処理の一例を示すフローチャートである。
【００５１】
図１２に示すように、端末装置１００の画面表示部１０２ｄは、組立手順情報を利用者が入力するための組立手順入力画面（図９参照）を表示部１１４に表示させる（ステップＳＡ−１）。そして、端末装置１００の組立手順送信部１０２ｅは、ステップＳＡ−１にて画面表示部１０２ｄの処理により表示された組立手順入力画面上で、利用者により入力部１１８を介して入力された組立手順情報を、サーバ装置２００へ送信する（ステップＳＡ−２）。
【００５２】
そして、サーバ装置２００の制御部２０２は、ステップＳＡ−２にて組立手順送信部１０２ｅの処理により端末装置１００から送信された組立手順情報を受信する（ステップＳＡ−３）。そして、サーバ装置２００の組立手順入力部２０２ｄは、ステップＳＡ−３にて制御部２０２の処理により受信した組立手順情報を、パーツ情報データベース２０６ａに記憶されたパーツ情報が示す対象のパーツに夫々対応付けて格納する（ステップＳＡ−４）。ここで、ステップＳＡ−４において、組立手順入力部２０２ｄは、端末装置１００から再送信されて変更された組立手順情報がある場合には（図１０及び図１１参照）、パーツ情報データベース２０６ａに記憶されたパーツ情報が示す対象のパーツに夫々対応付けて更新する。
【００５３】
そして、端末装置１００の作成条件送信部１０２ａは、利用者により入力される作成条件をサーバ装置２００へ送信する（ステップＳＡ−５）。
【００５４】
そして、サーバ装置２００の作成条件受信部２０２ａは、ステップＳＡ−５にて作成条件送信部１０２ａの処理により端末装置１００から送信される作成条件を受信する（ステップＳＡ−６）。そして、サーバ装置２００の昇降機モデリング部２０２ｂは、ステップＳＡ−６にて作成条件受信部２０２ａの処理により受信された作成条件に対応する昇降機のＢＩＭパーツを、ステップＳＡ−４にて組立手順入力部２０２ｄの処理により入力された組立手順情報を含むパーツ情報データベース２０６ａに記憶されたパーツ情報を用いて作成する（ステップＳＡ−７）。例えば、昇降機モデリング部２０２ｂは、図３に示すようなエレベータの３次元のＢＩＭパーツを作成する。ここで、ステップＳＡ−７において、昇降機モデリング部２０２ｂは、作成条件を満たす複数の昇降機のＢＩＭパーツを作成してもよい。そして、サーバ装置２００の情報提供部２０２ｃは、ステップＳＡ−７にて昇降機モデリング部２０２ｂの処理により作成された昇降機のＢＩＭパーツを端末装置１００へ送信する（ステップＳＡ−８）。
【００５５】
そして、端末装置１００の情報取得部１０２ｂは、ステップＳＡ−５にて作成条件送信部１０２ａの処理により送信した作成条件に対応するＢＩＭパーツであって、ステップＳＡ−８にて情報提供部２０２ｃの処理によりサーバ装置２００から送信されたＢＩＭパーツを単数又は複数含む計算結果を受信する（ステップＳＡ−９）。
【００５６】
そして、端末装置１００の画面表示部１０２ｄは、ステップＳＡ−９にて情報取得部１０２ｂの処理により受信された昇降機のＢＩＭパーツを、表示部１１４に表示させる（ステップＳＡ−１０）。本実施形態では、ステップＳＡ−１０において、画面表示部１０２ｄは、ＢＩＭパーツに含まれる組立手順情報が示す昇降機の部材の組立手順にしたがって、当該ＢＩＭパーツを構成するパーツの表示形態を異ならせる。例えば、画面表示部１０２ｄは、組立手順情報に含まれる昇降機の部材の据付作業日に応じて、ＢＩＭパーツを構成するパーツの色を異ならせる（図５乃至図８参照）。その後、本処理を終了する。
【００５７】
続いて、図１３を参照して、第１の実施形態においてＢＩＭシステムにより実行される照合処理について説明する。図１３は、第１の実施形態におけるＢＩＭシステムの照合処理の一例を示すフローチャートである。
【００５８】
図１３に示すように、端末装置１００の制御部１０２は、利用者により入力部１１８を介して、昇降機の部材に付与された識別情報が入力されたか否かを判定する（ステップＳＢ−１）。そして、端末装置１００の照合部１０２ｆは、ステップＳＢ−１にて制御部１０２の処理により識別情報が入力されたと判定された場合（ステップＳＢ−１：ＹＥＳ）、図１２のステップＳＡ−１０にて画面表示部１０２ｄの処理により表示部１１４に表示されたＢＩＭパーツに含まれるパーツのうち、識別情報により特定されるパーツが存在するか否かを示す照合結果を生成する（ステップＳＢ−２）。一方、ステップＳＢ−１にて制御部１０２の処理により識別情報が入力されていないと判定された場合には（ステップＳＢ−１：ＮＯ）、制御部１０２は、ステップＳＢ−１の処理を、識別情報が入力されたと判定されるまで繰り返す。
【００５９】
そして、端末装置１００の制御部１０２は、ステップＳＢ−３にて照合部１０２ｆの処理により生成された照合結果に基づいて、図１２のステップＳＡ−１０にて画面表示部１０２ｄの処理により表示部１１４に表示されたＢＩＭパーツに含まれるパーツのうち、ステップＳＢ−１にて利用者により入力された識別情報により特定されるパーツが存在するとの照合結果であるか、または、ステップＳＢ−１にて利用者により入力された識別情報により特定されるパーツが存在しないとの照合結果であるかを判定する（ステップＳＢ−３）。
【００６０】
ステップＳＢ−３において、制御部１０２の処理により、ステップＳＢ−２にて照合部１０２ｆの処理により生成された照合結果が、ステップＳＢ−１にて利用者により入力された識別情報により特定されるパーツが存在するとの照合結果であると判定された場合（ステップＳＢ−３：ＹＥＳ）、端末装置１００の画面表示部１０２ｄは、表示部１１４に完了通知を表示させる（ステップＳＢ−４）。その後、本処理を終了する。
【００６１】
一方、ステップＳＢ−３において、制御部１０２の処理により、ステップＳＢ−２にて照合部１０２ｆの処理により生成された照合結果が、ステップＳＢ−１にて利用者により入力された識別情報により特定されるパーツが存在しないとの照合結果であると判定された場合（ステップＳＢ−３：ＮＯ）、端末装置１００の画面表示部１０２ｄは、表示部１１４にエラー通知を表示させる（ステップＳＢ−５）。その後、本処理を終了する。
【００６２】
続いて、図１４を参照して、第１の実施形態においてＢＩＭシステムにより実行される統合ＢＩＭモデル作成処理について説明する。図１４は、第１の実施形態におけるＢＩＭシステムの統合ＢＩＭモデル作成処理の一例を示すフローチャートである。
【００６３】
なお、図１４において、ステップＳＣ−１〜ＳＣ−５の処理は、図１２のステップＳＡ−５〜ＳＡ−９の処理に夫々対応するため、説明を省略する。図１４に示す統合ＢＩＭモデル作成処理では、ステップＳＣ−６の処理から説明する。
【００６４】
図１４に示すように、端末装置１００の統合モデリング部１０２ｃは、ステップＳＣ−５にて情報取得部１０２ｂの処理により受信された単数または複数の昇降機のＢＩＭパーツを、ＢＩＭモデルデータベース１０６ａに記憶された建築物のＢＩＭモデルに組み込んだ状態の昇降機組込建築物に対応する統合ＢＩＭモデルを作成する（ステップＳＣ−６）。例えば、統合モデリング部１０２ｃは、図４に示すような、エレベータのＢＩＭパーツが建築物のＢＩＭモデルに組み込まれた状態の昇降機組込建築物に対応する統合ＢＩＭモデルを作成する。
【００６５】
そして、端末装置１００の画面表示部１０２ｄは、ステップＳＣ−６にて統合モデリング部１０２ｃの処理により作成された統合ＢＩＭモデルを、表示部１１４に表示させる（ステップＳＣ−７）。本実施形態では、ステップＳＣ−７において、画面表示部１０２ｄは、当該統合ＢＩＭモデルに組み込まれたＢＩＭパーツに含まれる組立手順情報が示す昇降機の部材の組立手順にしたがって、当該ＢＩＭパーツを構成するパーツの表示形態を異ならせる。その後、本処理を終了する。
【００６６】
以上で、第１の実施形態におけるＢＩＭシステムの処理の一例の説明を終える。
【００６７】
［第２の実施形態］
続いて、第２の実施形態について、図１５乃至図１８を参照して以下に説明する。ここで、図１５は、第２の実施形態におけるＢＩＭシステムの構成の一例を示すブロック図であり、該構成のうち本実施形態に関係する部分を概念的に示している。
【００６８】
なお、第２の実施形態においては、サーバ装置２００側で作成条件に対応する昇降機のＢＩＭパーツを作成し、当該ＢＩＭパーツを建築物のＢＩＭモデルに組み込んだ状態の昇降機組込建築物に対応する統合ＢＩＭモデルも作成する。また、サーバ装置２００側で、ＢＩＭパーツと識別情報との照合も行う。そして、サーバ装置２００から端末装置１００へ、ＢＩＭパーツを含むレイアウト画面や、統合ＢＩＭモデルを含むレイアウト画面や、照合結果に基づく完了通知又はエラー通知を含む結果画面を送信し、当該端末装置１００の表示部１１４に表示させるように制御している。このように、第２の実施形態は、サーバ装置２００にてサーバ主導で処理を行う点が、その他の実施形態と異なる。
【００６９】
［第２の実施形態におけるＢＩＭシステムの構成］
まず、第２の実施形態におけるＢＩＭシステムの構成の一例について、図１５を参照して以下に説明する。
【００７０】
図１５に示すように、第２の実施形態のサーバ装置２００は、出力部（表示部１１４および音声出力部１１６）と入力部１１８と制御部１０２と記憶部１０６とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００７１】
図１５において、サーバ装置２００は、端末装置１００から送信される作成条件に対応するＢＩＭパーツを作成する機能や、当該ＢＩＭパーツをＢＩＭモデルに組み込んだ状態の昇降機組込建築物に対応する統合ＢＩＭモデルを作成する機能や、レイアウト画面や組立手順入力画面や結果画面を生成して端末装置１００へ送信することで表示部１１４に表示させるように制御する機能や、組立手順情報をパーツ情報データベース２０６ａに格納する機能や、ＢＩＭパーツと識別情報との照合を行う機能などを有する。
【００７２】
なお、サーバ装置２００における通信制御インターフェース部２０４および記憶部２０６（パーツ情報データベース２０６ａ等）の機能、また、端末装置１００における表示部１１４、音声出力部１１６、および、入力部１１８の機能は、第１の実施形態と同様であるため説明を省略する。なお、記憶部２０６のうち、ＢＩＭモデルファイル２０６ｂには、端末装置１００側の記憶部１０６のＢＩＭモデルデータベース１０６ａに記憶された複数の建築物のＢＩＭモデルのうち、対象の建築物のＢＩＭモデルが予めサーバ装置２００側へ転送されて一時的に記憶されているものとする。
【００７３】
図１５において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、情報提供部２０２ｃ、組立手順入力部２０２ｄ、統合モデリング部２０２ｅ、画面表示制御部２０２ｆ、情報取得部２０２ｇ、照合部２０２ｈを備える。
【００７４】
このうち、作成条件受信部２０２ａは、端末装置１００から送信される作成条件を受信する作成条件受信手段である。ここで、作成条件は、利用者により端末装置１００において入力部１１８を介して入力されたものであってもよいし、予め作成条件が記憶された外部記憶装置（図示せず）から読み込まれたものであってもよい。
【００７５】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエレベータの３次元のＢＩＭパーツを作成する。
【００７６】
また、情報提供部２０２ｃは、昇降機モデリング部２０２ｂにより作成されたＢＩＭパーツ、統合モデリング部２０２ｅにより作成された統合ＢＩＭモデル、照合部２０２ｈにより生成された照合結果等の各種計算結果を、端末装置１００からの要求に応じて送信する情報提供手段である。
【００７７】
また、組立手順入力部２０２ｄは、情報取得部２０２ｇにより端末装置１００から受信した組立手順情報を、パーツ情報データベース２０６ａに記憶されたパーツ情報が示す対象のパーツに夫々対応付けて格納する組立手順入力手段である。更に、組立手順入力部２０２ｄは、情報取得部２０２ｇにより端末装置１００から再受信した、利用者により変更された組立手順情報を、パーツ情報データベース２０６ａに記憶されたパーツ情報が示す対象のパーツに夫々対応付けて更新する。
【００７８】
また、統合モデリング部２０２ｅは、昇降機モデリング部２０２ｂにより作成された昇降機のＢＩＭパーツを、ＢＩＭモデルファイル２０６ｂに記憶された建築物のＢＩＭモデルに組み込んだ状態の昇降機組込建築物に対応する統合ＢＩＭモデルを作成する統合モデリング手段である。ここで、統合モデリング部２０２ｅは、図４に示したように作成した統合ＢＩＭモデルを記憶部２０６に格納して、統合ＢＩＭモデルデータベース（図示せず）を構築してもよい。
【００７９】
また、画面表示制御部２０２ｆは、昇降機モデリング部２０２ｂにより作成された昇降機のＢＩＭパーツを含むレイアウト画面を生成し、当該レイアウト画面を端末装置１００へ送信し、端末装置１００の表示部１１４に表示させるように制御する画面表示制御手段である。本実施形態において、画面表示制御部２０２ｆは、ＢＩＭパーツに含まれる組立手順情報が示す昇降機の部材の組立手順にしたがって、当該ＢＩＭパーツを構成するパーツの表示形態を異ならせる制御信号を含むレイアウト画面を生成し、当該レイアウト画面を端末装置１００へ送信し、端末装置１００の表示部１１４に表示させるように制御する。例えば、画面表示制御部２０２ｆは、組立手順情報に含まれる昇降機の部材の据付作業日に応じて、ＢＩＭパーツを構成するパーツの色を異ならせる制御信号を含むレイアウト画面を生成し、当該レイアウト画面を端末装置１００へ送信し、端末装置１００の表示部１１４に表示させるように制御してもよい。
【００８０】
画面表示制御部２０２ｆは、統合モデリング部２０２ｅにより作成された統合ＢＩＭモデルを含むレイアウト画面を生成し、当該レイアウト画面を端末装置１００へ送信し、端末装置１００の表示部１１４に表示させるように制御してもよい。更に、画面表示制御部２０２ｆは、当該統合ＢＩＭモデルに組み込まれたＢＩＭパーツに含まれる組立手順情報が示す昇降機の部材の組立手順にしたがって、当該ＢＩＭパーツを構成するパーツの表示形態を異ならせる制御信号を含むレイアウト画面を生成し、当該レイアウト画面を端末装置１００へ送信し、端末装置１００の表示部１１４に表示させるように制御してもよい。
【００８１】
この他、画面表示制御部２０２ｆは、組立手順情報を利用者が入力するための組立手順入力画面を端末装置１００へ送信し、端末装置１００の表示部１１４に表示させるように制御してもよい。また、画面表示制御部２０２ｆは、照合部２０２ｈにより生成された照合結果に基づく完了通知又はエラー通知を含む結果画面を生成し、当該結果画面を端末装置１００へ送信し、当該端末装置１００の表示部１１４に表示させるように制御してもよい。
【００８２】
また、情報取得部２０２ｇは、端末装置１００から送信される、組立手順情報、識別情報等の各種情報を受信する情報取得手段である。
【００８３】
また、照合部２０２ｈは、情報取得部２０２ｇにより端末装置１００から識別情報を受信した場合、画面表示制御部２０２ｆにより生成されたレイアウト画面上のＢＩＭパーツに含まれるパーツのうち、識別情報により特定されるパーツが存在するか否かを示す照合結果を生成する照合手段である。ここで、識別情報は、識別番号や、バーコードまたは無線タグを含むが、これらに限定されない。
【００８４】
本実施形態において、画面表示制御部２０２ｆは、照合部２０２ｈにより生成された照合結果が、識別情報により特定されるパーツが存在するとの照合結果である場合は、完了通知を含む結果画面を生成し、当該結果画面を端末装置１００へ送信し、端末装置１００の表示部１１４に表示させるように制御する。一方、画面表示制御部２０２ｆは、照合部２０２ｈにより生成された照合結果が、識別情報により特定されるパーツが存在しないとの照合結果である場合は、エラー通知を含む結果画面を生成し、当該結果画面を端末装置１００へ送信し、端末装置１００の表示部１１４に表示させるように制御する。
【００８５】
なお、図１５では、ＢＩＭモデルデータベース１０６ａが端末装置１００側の記憶部１０６に備えられた例を説明したが、これに限定されない。図示しないが、ＢＩＭモデルデータベースは、サーバ装置２００側の記憶部２０６側に備えられていてもよく、また、ネットワーク３００を介して通信可能に接続されたデータベースサーバとして外部装置の記憶部側に備えられていてもよい。
【００８６】
以上で、第２の実施形態におけるＢＩＭシステムの構成の一例の説明を終える。
【００８７】
［第２の実施形態におけるＢＩＭシステムの処理］
次に、このように構成された第２の実施形態におけるＢＩＭシステムの処理の一例について、以下に図１６乃至図１８を参照して詳細に説明する。
【００８８】
まず、図１６を参照して、第２の実施形態においてＢＩＭシステムにより実行される基本処理について説明する。図１６は、第２の実施形態におけるＢＩＭシステムの基本処理の一例を示すフローチャートである。
【００８９】
図１６に示すように、サーバ装置２００の画面表示制御部２０２ｆは、組立手順情報を利用者が入力するための組立手順入力画面（図９参照）を端末装置１００へ送信し（ステップＳＤ−１）、端末装置１００の表示部１１４に組立手順入力画面を表示させるように制御する（ステップＳＤ−２）。そして、端末装置１００の制御部１０２は、ステップＳＤ−１〜２にて画面表示制御部２０２ｆの処理により表示された組立手順入力画面上で、利用者により入力部１１８を介して入力された組立手順情報を、サーバ装置２００へ送信する（ステップＳＤ−３）。
【００９０】
そして、サーバ装置２００の情報取得部２０２ｇは、ステップＳＤ−３にて制御部１０２の処理により端末装置１００から送信された組立手順情報を受信する（ステップＳＤ−４）。そして、サーバ装置２００の組立手順入力部２０２ｄは、ステップＳＤ−４にて情報取得部２０２ｇの処理により端末装置１００から受信した組立手順情報を、パーツ情報データベース２０６ａに記憶されたパーツ情報が示す対象のパーツに夫々対応付けて格納する（ステップＳＤ−５）。ここで、ステップＳＤ−５において、組立手順入力部２０２ｄは、端末装置１００から再送信されて変更された組立手順情報がある場合には（図１０及び図１１参照）、パーツ情報データベース２０６ａに記憶されたパーツ情報が示す対象のパーツに夫々対応付けて更新する。
【００９１】
そして、端末装置１００の制御部１０２は、利用者により入力される作成条件をサーバ装置２００へ送信する（ステップＳＤ−６）。
【００９２】
そして、サーバ装置２００の作成条件受信部２０２ａは、ステップＳＤ−６にて制御部１０２の処理により送信される作成条件を受信する（ステップＳＤ−７）。そして、サーバ装置２００の昇降機モデリング部２０２ｂは、ステップＳＤ−７にて作成条件受信部２０２ａの処理により受信された作成条件に対応する昇降機のＢＩＭパーツを、ステップＳＤ−５にて組立手順入力部２０２ｄの処理により入力された組立手順情報を含むパーツ情報データベース２０６ａに記憶されたパーツ情報を用いて作成する（ステップＳＤ−８）。例えば、昇降機モデリング部２０２ｂは、図３に示すようなエレベータのＢＩＭパーツを作成する。ここで、ステップＳＤ−８において、昇降機モデリング部２０２ｂは、作成条件を満たす複数の昇降機のＢＩＭパーツを作成してもよい。
【００９３】
そして、サーバ装置２００の画面表示制御部２０２ｆは、ステップＳＤ−８にて昇降機モデリング部２０２ｂの処理により作成された昇降機のＢＩＭパーツを含むレイアウト画面を生成する（ステップＳＤ−９）。本実施形態では、ステップＳＤ−９において、画面表示制御部２０２ｆは、ＢＩＭパーツに含まれる組立手順情報が示す昇降機の部材の組立手順にしたがって、当該ＢＩＭパーツを構成するパーツの表示形態を異ならせる制御信号を含むレイアウト画面を生成する。例えば、画面表示制御部２０２ｆは、組立手順情報に含まれる昇降機の部材の据付作業日に応じて、ＢＩＭパーツを構成するパーツの色を異ならせる制御信号を含むレイアウト画面を生成する（図５乃至図８参照）。そして、画面表示制御部２０２ｆは、ステップＳＤ−９にて作成したレイアウト画面を端末装置１００へ送信し（ステップＳＤ−１０）、端末装置１００の表示部１１４にレイアウト画面を表示させるように制御する（ステップＳＤ−１１）。その後、本処理を終了する。
【００９４】
続いて、図１７を参照して、第２の実施形態においてＢＩＭシステムにより実行される照合処理について説明する。図１７は、第２の実施形態におけるＢＩＭシステムの照合処理の一例を示すフローチャートである。
【００９５】
図１７に示すように、端末装置１００の制御部１０２は、利用者により入力部１１８を介して、昇降機の部材に付与された識別情報が入力されたか否かを判定する（ステップＳＥ−１）。そして、端末装置１００の制御部１０２は、ステップＳＥ−１にて識別情報が入力されたと判定した場合（ステップＳＥ−１：ＹＥＳ）、識別情報をサーバ装置２００へ送信する（ステップＳＥ−２）。一方、制御部１０２は、ステップＳＥ−１にて識別情報が入力されていないと判定した場合には（ステップＳＥ−１：ＮＯ）、ステップＳＥ−１の処理を、識別情報が入力されたと判定するまで繰り返す。
【００９６】
そして、サーバ装置２００の情報取得部２０２ｇは、ステップＳＥ−２にて制御部１０２の処理により端末装置１００から送信された識別情報を受信する（ステップＳＥ−３）。そして、サーバ装置２００の照合部２０２ｈは、図１６のステップＳＤ−９にて画面表示制御部２０２ｆの処理により生成されたレイアウト画面上のＢＩＭパーツに含まれるパーツのうち、ステップＳＥ−３にて情報取得部２０２ｇの処理により受信された識別情報により特定されるパーツが存在するか否かを示す照合結果を生成する（ステップＳＥ−４）。
【００９７】
そして、サーバ装置２００の制御部２０２は、ステップＳＥ−４にて照合部２０２ｈの処理により生成された照合結果に基づいて、図１６のステップＳＤ−９にて画面表示制御部２０２ｆの処理により生成されたレイアウト画面上のＢＩＭパーツに含まれるパーツのうち、ステップＳＥ−３にて情報取得部２０２ｇの処理により受信された識別情報により特定されるパーツが存在するとの照合結果であるか、または、ステップＳＥ−３にて情報取得部２０２ｇの処理により受信された識別情報により特定されるパーツが存在しないとの照合結果であるかを判定する（ステップＳＥ−５）。
【００９８】
ステップＳＥ−５において、制御部２０２の処理により、ステップＳＥ−４にて照合部２０２ｈの処理により生成された照合結果が、ステップＳＥ−３にて情報取得部２０２ｇの処理により受信された識別情報により特定されるパーツが存在するとの照合結果であると判定された場合（ステップＳＥ−５：ＹＥＳ）、サーバ装置２００の画面表示制御部２０２ｆは、完了通知を含む結果画面を生成する（ステップＳＥ−６）。そして、画面表示制御部２０２ｆは、ステップＳＥ−６にて生成した完了通知を含む結果画面を端末装置１００へ送信し（ステップＳＥ−８）、端末装置１００の表示部１１４に当該完了通知を含む結果画面を表示させるように制御する（ステップＳＥ−９）。その後、本処理を終了する。
【００９９】
一方、ステップＳＥ−５において、制御部２０２の処理により、ステップＳＥ−４にて照合部２０２ｈの処理により生成された照合結果が、ステップＳＥ−３にて情報取得部２０２ｇの処理により受信された識別情報により特定されるパーツが存在しないとの照合結果であると判定された場合（ステップＳＥ−５：ＮＯ）、サーバ装置２００の画面表示制御部２０２ｆは、エラー通知を含む結果画面を生成する（ステップＳＥ−７）。そして、画面表示制御部２０２ｆは、ステップＳＥ−７にて生成したエラー通知を含む結果画面を端末装置１００へ送信し（ステップＳＥ−８）、端末装置１００の表示部１１４に当該エラー通知を含む結果画面を表示させるように制御する（ステップＳＥ−９）。その後、本処理を終了する。
【０１００】
続いて、図１８を参照して、第２の実施形態においてＢＩＭシステムにより実行される統合ＢＩＭモデル作成処理について説明する。図１８は、第２の実施形態におけるＢＩＭシステムの統合ＢＩＭモデル作成処理の一例を示すフローチャートである。
【０１０１】
なお、図１８において、ステップＳＦ−１〜ＳＦ−３の処理は、図１６のステップＳＤ−６〜ＳＤ−８の処理に夫々対応するため、説明を省略する。図１８に示す統合ＢＩＭモデル作成処理では、ステップＳＦ−４の処理から説明する。
【０１０２】
図１８に示すように、サーバ装置２００の統合モデリング部２０２ｅは、ステップＳＦ−３にて昇降機モデリング部２０２ｂの処理により作成された単数または複数の昇降機のＢＩＭパーツを、ＢＩＭモデルファイル２０６ｂに記憶された建築物のＢＩＭモデルに組み込んだ状態の昇降機組込建築物に対応する統合ＢＩＭモデルを作成する（ステップＳＦ−４）。例えば、統合モデリング部２０２ｅは、図４に示すような、エレベータのＢＩＭパーツが建築物のＢＩＭモデルに組み込まれた状態の昇降機組込建築物に対応する統合ＢＩＭモデルを作成する。
【０１０３】
そして、サーバ装置２００の画面表示制御部２０２ｆは、統合モデリング部２０２ｅにより作成された統合ＢＩＭモデルを含むレイアウト画面を生成する（ステップＳＦ−５）。本実施形態では、ステップＳＦ−５において、画面表示制御部２０２ｆは、当該統合ＢＩＭモデルに組み込まれたＢＩＭパーツに含まれる組立手順情報が示す昇降機の部材の組立手順にしたがって、当該ＢＩＭパーツを構成するパーツの表示形態を異ならせる制御信号を含むレイアウト画面を生成する。そして、画面表示制御部２０２ｆは、ステップＳＦ−５にて生成したレイアウト画面を端末装置１００へ送信し（ステップＳＦ−６）、端末装置１００の表示部１１４に当該レイアウト画面を表示させるように制御する（ステップＳＦ−７）。その後、本処理を終了する。
【０１０４】
以上で、第２の実施形態におけるＢＩＭシステムの処理の一例の説明を終える。
【０１０５】
なお、第２の実施形態にかかるＢＩＭシステム（サーバ主導型）においても、上述の第１の実施形態にかかるＢＩＭシステム（機能分散型）と同様の効果を奏する。
【０１０６】
［第３の実施形態］
続いて、第３の実施形態について、図１９乃至図２２を参照して以下に説明する。ここで、図１９は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１０７】
なお、第３の実施形態においては、全ての機能をＢＩＭ装置４００に集約し、当該ＢＩＭ装置４００は、利用者により入力される作成条件に対応する昇降機のＢＩＭパーツを作成する機能や、当該ＢＩＭパーツを建築物のＢＩＭモデルに組み込んだ状態の昇降機組込建築物に対応する統合ＢＩＭモデルを作成する機能や、レイアウト画面や組立手順入力画面を表示部４１４に表示する機能や、組立手順情報をパーツ情報データベース４０６ａに格納する機能や、ＢＩＭパーツと識別情報との照合を行う機能などを有する。このように、第３の実施形態は、ＢＩＭ装置４００がスタンドアロン型に構成され単独で処理を行う点がその他の実施形態と異なる。
【０１０８】
［第３の実施形態におけるＢＩＭシステムの構成］
まず、第３の実施形態におけるＢＩＭシステムの構成の一例について、図１９を参照して以下に説明する。
【０１０９】
図１９に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１１０】
図１９において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、ＢＩＭモデルデータベース４０６ｂ等）についても、サーバ装置２００ではなくＢＩＭ装置４００に備えられている点を除き、各機能が第１の実施形態と同様であるため説明を省略する。
【０１１１】
なお、制御部４０２の各部については、本実施形態のＢＩＭ装置４００がスタンドアロン型であり、制御部４０２が各送信部を備えていない点を除き、各機能は第１の実施形態と基本的に同様である。
【０１１２】
図１９において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、画面表示部４０２ｄ、組立手順入力部４０２ｅ、照合部４０２ｆを備える。
【０１１３】
このうち、作成条件設定部４０２ａは、利用者により入力される作成条件を設定する作成条件設定手段である。ここで、作成条件は、利用者により入力部４１８を介して入力されたものであってもよいし、予め作成条件が記憶された外部記憶装置（図示せず）から読み込まれたものであってもよい。
【０１１４】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。昇降機モデリング部４０２ｂは、例えば、図３に示すようなエレベータの３次元のＢＩＭパーツを作成する。
【０１１５】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ状態の昇降機組込建築物に対応する統合ＢＩＭモデルを作成する統合モデリング手段である。ここで、統合モデリング部４０２ｃは、図４に示したように作成した統合ＢＩＭモデルを記憶部４０６に格納して、統合ＢＩＭモデルデータベース（図示せず）を構築してもよい。
【０１１６】
また、画面表示部４０２ｄは、昇降機モデリング部４０２ｂにより作成された昇降機のＢＩＭパーツを、表示部４１４に表示させる画面表示手段である。本実施形態において、画面表示部４０２ｄは、ＢＩＭパーツに含まれる組立手順情報が示す昇降機の部材の組立手順にしたがって、当該ＢＩＭパーツを構成するパーツの表示形態を異ならせる。例えば、画面表示部４０２ｄは、組立手順情報に含まれる昇降機の部材の据付作業日に応じて、ＢＩＭパーツを構成するパーツの色を異ならせる。
【０１１７】
画面表示部４０２ｄは、統合モデリング部４０２ｃにより作成された統合ＢＩＭモデルを、表示部１１４に表示させてもよい。更に、画面表示部４０２ｄは、当該統合ＢＩＭモデルに組み込まれたＢＩＭパーツに含まれる組立手順情報が示す昇降機の部材の組立手順にしたがって、当該ＢＩＭパーツを構成するパーツの表示形態を異ならせてもよい。
【０１１８】
この他、画面表示部４０２ｄは、組立手順情報を利用者が入力するための組立手順入力画面を、表示部４１４に表示させてもよい。
【０１１９】
また、組立手順入力部４０２ｅは、利用者により組立手順入力画面上で入力部４１８を介して入力された組立手順情報を、パーツ情報データベース４０６ａに記憶されたパーツ情報が示す対象のパーツに夫々対応付けて格納する組立手順入力手段である。更に、組立手順入力部４０２ｅは、利用者により組立手順入力画面上で入力部４１８を介して変更された組立手順情報を、パーツ情報データベース４０６ａに記憶されたパーツ情報が示す対象のパーツに夫々対応付けて更新する。
【０１２０】
また、照合部４０２ｆは、利用者により入力部４１８を介して、昇降機の部材に付与された識別情報が入力された場合、画面表示部４０２ｄにより表示部４１４に表示されたＢＩＭパーツに含まれるパーツのうち、識別情報により特定されるパーツが存在するか否かを示す照合結果を生成する照合手段である。ここで、識別情報は、識別番号や、バーコードまたは無線タグを含むが、これらに限定されない。
【０１２１】
本実施形態において、画面表示部４０２ｄは、照合部４０２ｆにより生成された照合結果が、識別情報により特定されるパーツが存在するとの照合結果である場合は、表示部４１４に完了通知を表示させる。一方、画面表示部４０２ｄは、照合部４０２ｆにより生成された照合結果が、識別情報により特定されるパーツが存在しないとの照合結果である場合は、表示部４１４にエラー通知を表示させる。
【０１２２】
以上で、第３の実施形態におけるＢＩＭシステムの構成の一例の説明を終える。
【０１２３】
［第３の実施形態におけるＢＩＭシステムの処理］
次に、このように構成された第３の実施形態におけるＢＩＭシステムの処理の一例について、以下に図２０乃至図２２を参照して詳細に説明する。
【０１２４】
まず、図２０を参照して、第３の実施形態においてＢＩＭシステムにより実行される基本処理について説明する。図２０は、第３の実施形態におけるＢＩＭシステムの基本処理の一例を示すフローチャートである。
【０１２５】
図２０に示すように、画面表示部４０２ｄは、組立手順情報を利用者が入力するための組立手順入力画面（図９参照）を、表示部４１４に表示させる（ステップＳＧ−１）。そして、組立手順入力部４０２ｅは、ステップＳＧ−１にて画面表示部４０２ｄの処理により表示された組立手順入力画面上で、利用者により入力部４１８を介して入力された組立手順情報を、パーツ情報データベース４０６ａに記憶されたパーツ情報が示す対象のパーツに夫々対応付けて格納する（ステップＳＧ−２）。ここで、ステップＳＧ−２において、組立手順入力部４０２ｅは、組立手順入力画面上で利用者により入力部４１８を介して変更された組立手順情報がある場合には（図１０及び図１１参照）、パーツ情報データベース４０６ａに記憶されたパーツ情報が示す対象のパーツに夫々対応付けて更新する。
【０１２６】
そして、作成条件設定部４０２ａは、利用者により入力される作成条件を設定する（ステップＳＧ−３）。そして、昇降機モデリング部４０２ｂは、ステップＳＧ−３にて作成条件設定部４０２ａの処理により設定された作成条件に対応する昇降機のＢＩＭパーツを、ステップＳＧ−２にて組立手順入力部４０２ｅの処理により入力された組立手順情報を含むパーツ情報データベース４０６ａに記憶されたパーツ情報を用いて作成する（ステップＳＧ−４）。例えば、昇降機モデリング部４０２ｂは、図３に示すようなエレベータのＢＩＭパーツを作成する。ここで、ステップＳＧ−２において、昇降機モデリング部４０２ｂは、作成条件を満たす複数の昇降機のＢＩＭパーツを作成してもよい。
【０１２７】
そして、画面表示部４０２ｄは、ステップＳＧ−４にて昇降機モデリング部４０２ｂの処理により作成された昇降機のＢＩＭパーツを、表示部４１４に表示させる（ステップＳＧ−５）。本実施形態では、ステップＳＧ−５において、画面表示部４０２ｄは、ＢＩＭパーツに含まれる組立手順情報が示す昇降機の部材の組立手順にしたがって、当該ＢＩＭパーツを構成するパーツの表示形態を異ならせる。例えば、画面表示部４０２ｄは、組立手順情報に含まれる昇降機の部材の据付作業日に応じて、ＢＩＭパーツを構成するパーツの色を異ならせる（図５乃至図８参照）。その後、本処理を終了する。
【０１２８】
続いて、図２１を参照して、第３の実施形態においてＢＩＭシステムにより実行される照合処理について説明する。図２１は、第３の実施形態におけるＢＩＭシステムの照合処理の一例を示すフローチャートである。
【０１２９】
図２１に示すように、制御部４０２は、利用者により入力部４１８を介して、昇降機の部材に付与された識別情報が入力されたか否かを判定する（ステップＳＨ−１）。そして、照合部４０２ｆは、ステップＳＨ−１にて制御部４０２の処理により識別情報が入力されたと判定された場合（ステップＳＨ−１：ＹＥＳ）、図２０のステップＳＧ−５にて画面表示部４０２ｄの処理により表示部４１４に表示されたＢＩＭパーツに含まれるパーツのうち、識別情報により特定されるパーツが存在するか否かを示す照合結果を生成する（ステップＳＨ−２）。一方、ステップＳＨ−１にて制御部４０２の処理により識別情報が入力されていないと判定された場合には（ステップＳＨ−１：ＮＯ）、制御部４０２は、ステップＳＨ−１の処理を、識別情報が入力されたと判定されるまで繰り返す。
【０１３０】
そして、制御部４０２は、ステップＳＨ−３にて照合部４０２ｆの処理により生成された照合結果に基づいて、図２０のステップＳＧ−５にて画面表示部４０２ｄの処理により表示部４１４に表示されたＢＩＭパーツに含まれるパーツのうち、ステップＳＨ−１にて利用者により入力された識別情報により特定されるパーツが存在するとの照合結果であるか、または、ステップＳＨ−１にて利用者により入力された識別情報により特定されるパーツが存在しないとの照合結果であるかを判定する（ステップＳＨ−３）。
【０１３１】
ステップＳＨ−３において、制御部４０２の処理により、ステップＳＨ−２にて照合部４０２ｆの処理により生成された照合結果が、ステップＳＨ−１にて利用者により入力された識別情報により特定されるパーツが存在するとの照合結果であると判定された場合（ステップＳＨ−３：ＹＥＳ）、画面表示部４０２ｄは、表示部４１４に完了通知を表示させる（ステップＳＨ−４）。その後、本処理を終了する。
【０１３２】
一方、ステップＳＨ−３において、制御部４０２の処理により、ステップＳＨ−２にて照合部４０２ｆの処理により生成された照合結果が、ステップＳＨ−１にて利用者により入力された識別情報により特定されるパーツが存在しないとの照合結果であると判定された場合（ステップＳＨ−３：ＮＯ）、画面表示部４０２ｄは、表示部４１４にエラー通知を表示させる（ステップＳＨ−５）。その後、本処理を終了する。
【０１３３】
続いて、図２２を参照して、第３の実施形態においてＢＩＭシステムにより実行される統合ＢＩＭモデル作成処理について説明する。図２２は、第３の実施形態におけるＢＩＭシステムの統合ＢＩＭモデル作成処理の一例を示すフローチャートである。
【０１３４】
なお、図２２において、ステップＳＩ−１〜ＳＩ−２の処理は、図２０のステップＳＧ−３〜ＳＧ−４の処理に夫々対応するため、説明を省略する。図２２に示す統合ＢＩＭモデル作成処理では、ステップＳＩ−３の処理から説明する。
【０１３５】
図２２に示すように、統合モデリング部４０２ｃは、ステップＳＩ−２にて昇降機モデリング部４０２ｂの処理により作成された昇降機のＢＩＭパーツを、ＢＩＭモデルデータベース４０６ｂに記憶された建築物のＢＩＭモデルに組み込んだ状態の昇降機組込建築物に対応する統合ＢＩＭモデルを作成する（ステップＳＩ−３）。例えば、統合モデリング部４０２ｃは、図４に示すような、エレベータのＢＩＭパーツが建築物のＢＩＭモデルに組み込まれた状態の昇降機組込建築物に対応する統合ＢＩＭモデルを作成する。
【０１３６】
そして、画面表示部４０２ｄは、ステップＳＩ−３にて統合モデリング部４０２ｃの処理により作成された統合ＢＩＭモデルを、表示部４１４に表示させる（ステップＳＩ−４）。本実施形態では、ステップＳＩ−４において、画面表示部４０２ｄは、当該統合ＢＩＭモデルに組み込まれたＢＩＭパーツに含まれる組立手順情報が示す昇降機の部材の組立手順にしたがって、当該ＢＩＭパーツを構成するパーツの表示形態を異ならせる。その後、本処理を終了する。
【０１３７】
以上で、第３の実施形態におけるＢＩＭシステムの処理の一例の説明を終える。
【０１３８】
なお、第３の実施形態にかかるＢＩＭシステム（スタンドアロン型）においても、上述の第１の実施形態にかかるＢＩＭシステム（機能分散型）と同様の効果を奏する。
【０１３９】
［他の実施形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１４０】
例えば、上述の実施形態では、昇降機としてエレベータを例にして説明したが、エスカレータ、動く歩道等の乗客コンベアについても同様に本発明を適用できる。
【０１４１】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４２】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１４３】
また、端末装置１００、サーバ装置２００、および、ＢＩＭ装置４００に関して、図示の各構成要素は機能概念的なものであり、必ずしも物理的に図示の如く構成されていることを要しない。
【０１４４】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４５】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１４６】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１４７】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４８】
記憶部１０６、記憶部２０６、および、記憶部４０６に格納される各種のデータベース等（例えば、ＢＩＭモデルデータベース１０６ａ、パーツ情報データベース２０６ａ、ＢＩＭモデルファイル２０６ｂ、パーツ情報データベース４０６ａ、ＢＩＭモデルデータベース４０６ｂ等）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１４９】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１５０】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１５１】
以上で説明した実施形態に係るＢＩＭシステム、方法およびプログラムによれば、その結果、据付作業者による昇降機の部材の据付作業をより一層効率化させるように支援することができる。
【符号の説明】
【０１５２】
１００  端末装置
１０２  制御部
１０２ａ  作成条件送信部
１０２ｂ  情報取得部
１０２ｃ  統合モデリング部
１０２ｄ  画面表示部
１０２ｅ  組立手順送信部
１０２ｆ  照合部
１０４  通信制御インターフェース部
１０６  記憶部
１０６ａ  ＢＩＭモデルデータベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  組立手順入力部
２０２ｅ  統合モデリング部
２０２ｆ  画面表示制御部
２０２ｇ  情報取得部
２０２ｈ  照合部
２０４  通信制御インターフェース部
２０６  記憶部
２０６ａ  パーツ情報データベース
２０６ｂ  ＢＩＭモデルファイル
３００  ネットワーク
４００  ＢＩＭ装置
４０２  制御部
４０２ａ  作成条件設定部
４０２ｂ  昇降機モデリング部
４０２ｃ  統合モデリング部
４０２ｄ  画面表示部
４０２ｅ  組立手順入力部
４０２ｆ  照合部
４０６  記憶部
４０６ａ  パーツ情報データベース
４０６ｂ  ＢＩＭモデルデータベース
４０８  入出力制御インターフェース部
４１４  表示部
４１６  音声出力部
４１８  入力部
【図１】
2016211260.tif 000003
【図２】
2016211260.tif 000004
【図３】
2016211260.tif 000005
【図４】
2016211260.tif 000006
【図５】
2016211260.tif 000007
【図６】
2016211260.tif 000008
【図７】
2016211260.tif 000009
【図８】
2016211260.tif 000010
【図９】
2016211260.tif 000011
【図１０】
2016211260.tif 000012
【図１１】
2016211260.tif 000013
【図１２】
2016211260.tif 000014
【図１３】
2016211260.tif 000015
【図１４】
2016211260.tif 000016
【図１５】
2016211260.tif 000017
【図１６】
2016211260.tif 000018
【図１７】
2016211260.tif 000019
【図１８】
2016211260.tif 000020
【図１９】
2016211260.tif 000021
【図２０】
2016211260.tif 000022
【図２１】
2016211260.tif 000023
【図２２】
2016211260.tif 000024
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
制御部と記憶部と表示部を少なくとも備えたＢＩＭシステムであって、前記記憶部は、建築物のＢＩＭモデルに組込可能な昇降機のＢＩＭパーツを作成するためのパーツに関するパーツ情報であって、前記ＢＩＭパーツの前記パーツに対応する前記昇降機の部材の組立手順を示す組立手順情報を含むパーツ情報を記憶するパーツ情報記憶手段、備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記表示部に表示させる画面表示手段と、を備え、前記画面表示手段は、前記ＢＩＭパーツに含まれる前記組立手順情報が示す前記昇降機の前記部材の複数の組立手順にしたがって、当該ＢＩＭパーツを構成する複数の前記パーツを表示させつつ、複数の前記パーツが据え付けられた前記昇降機内で複数の前記パーツの表示形態を組立手順が先の順から順番に他の前記パーツと色を異ならせることを特徴とするＢＩＭシステム。
【請求項２】
前記画面表示手段は、前記組立手順情報に含まれる前記昇降機の前記部材の据付作業日に応じて、前記ＢＩＭパーツを構成する前記パーツの色を異ならせることを特徴とする請求項１に記載のＢＩＭシステム。
【請求項３】
前記ＢＩＭシステムは、入力部を更に備え、前記画面表示手段は、前記組立手順情報を利用者が入力するための組立手順入力画面を前記表示部に表示させ、前記制御部は、前記利用者により前記組立手順入力画面上で前記入力部を介して入力された前記組立手順情報を、前記パーツ情報記憶手段に記憶された前記パーツ情報が示す対象の前記パーツに夫々対応付けて格納する組立手順入力手段、を更に備えたことを特徴とする請求項１又は２に記載のＢＩＭシステム。
【請求項４】
前記組立手順入力手段は、前記利用者により前記組立手順入力画面上で前記入力部を介して変更された前記組立手順情報を、前記パーツ情報記憶手段に記憶された前記パーツ情報が示す対象の前記パーツに夫々対応付けて更新することを特徴とする請求項３に記載のＢＩＭシステム。
【請求項５】
前記制御部は、前記利用者により前記入力部を介して、前記部材に付与された識別情報が入力された場合、前記画面表示手段により前記表示部上に表示された前記ＢＩＭパーツに含まれる前記パーツのうち、前記識別情報により特定される前記パーツが存在するか否かを示す照合結果を生成する照合手段、を更に備え、前記画面表示手段は、前記照合手段により生成された前記照合結果が、前記識別情報により特定される前記パーツが存在するとの照合結果である場合は、前記表示部に完了通知を表示させ、前記照合手段により生成された前記照合結果が、前記識別情報により特定される前記パーツが存在しないとの照合結果である場合は、前記表示部にエラー通知を表示させることを特徴とする請求項３または４に記載のＢＩＭシステム。
【請求項６】
前記識別情報は、バーコードまたは無線タグを含む請求項５に記載のＢＩＭシステム。
【請求項７】
前記記憶部は、
前記建築物のＢＩＭモデルを記憶するＢＩＭモデル記憶手段、を更に備え、前記制御部は、前記昇降機モデリング手段により作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段、を更に備え、前記画面表示手段は、前記統合モデリング手段により作成された前記統合ＢＩＭモデルを、前記表示部に表示させ、当該統合ＢＩＭモデルに組み込まれた前記ＢＩＭパーツに含まれる前記組立手順情報が示す前記昇降機の前記部材の組立手順にしたがって、当該ＢＩＭパーツを構成する前記パーツの表示形態を異ならせることを特徴とする請求項１に記載のＢＩＭシステム。
【請求項８】
制御部と記憶部と表示部を少なくとも備えたＢＩＭシステムにおいて実行される方法であって、前記記憶部は、建築物のＢＩＭモデルに組込可能な昇降機のＢＩＭパーツを作成するためのパーツに関するパーツ情報であって、前記ＢＩＭパーツの前記パーツに対応する前記昇降機の部材の組立手順を示す組立手順情報を含むパーツ情報を記憶するパーツ情報記憶手段、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記表示部に表示させる画面表示ステップと、を含み、前記画面表示ステップにおいて、前記ＢＩＭパーツに含まれる前記組立手順情報が示す前記昇降機の前記部材の複数の組立手順にしたがって、当該ＢＩＭパーツを構成する複数の前記パーツを表示させつつ、複数の前記パーツが据え付けられた前記昇降機内で複数の前記パーツの表示形態を組立手順が先の順から順番に他の前記パーツと色を異ならせることを特徴とする方法。
【請求項９】
制御部と記憶部と表示部を少なくとも備えたＢＩＭシステムに実行させるためのプログラムであって、前記記憶部は、建築物のＢＩＭモデルに組込可能な昇降機のＢＩＭパーツを作成するためのパーツに関するパーツ情報であって、前記ＢＩＭパーツの前記パーツに対応する前記昇降機の部材の組立手順を示す組立手順情報を含むパーツ情報を記憶するパーツ情報記憶手段、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記表示部に表示させる画面表示ステップと、を実行させ、前記画面表示ステップにおいて、前記ＢＩＭパーツに含まれる前記組立手順情報が示す前記昇降機の前記部材の複数の組立手順にしたがって、当該ＢＩＭパーツを構成する複数の前記パーツを表示させつつ、複数の前記パーツが据え付けられた前記昇降機内で複数の前記パーツの表示形態を組立手順が先の順から順番に他の前記パーツと色を異ならせることを特徴とするプログラム。
【手続補正２】
【補正対象書類名】明細書
【補正対象項目名】０００６
【補正方法】変更
【補正の内容】
【０００６】
実施形態のＢＩＭシステムは、制御部と記憶部と表示部を少なくとも備える。前記記憶部は、建築物のＢＩＭモデルに組込可能な昇降機のＢＩＭパーツを作成するためのパーツに関するパーツ情報であって、前記ＢＩＭパーツの前記パーツに対応する前記昇降機の部材の組立手順を示す組立手順情報を含むパーツ情報を記憶するパーツ情報記憶手段、を備える。前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記表示部に表示させる画面表示手段と、を備える。ここで、前記画面表示手段は、前記ＢＩＭパーツに含まれる前記組立手順情報が示す前記昇降機の前記部材の複数の組立手順にしたがって、当該ＢＩＭパーツを構成する複数の前記パーツを表示させつつ、複数の前記パーツが据え付けられた前記昇降機内で複数の前記パーツの表示形態を組立手順が先の順から順番に他の前記パーツと色を異ならせる。